【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
第１の基板と、
前記第１の基板の上に形成されており、互いに分離されている第１の副画素電極及び第２の副画素電極を有する画素電極と、
前記第１の基板と向かい合う第２の基板と、
前記第２の基板の上に形成されている共通電極と、
前記第１の基板と前記第２の基板との間に配設される液晶層と、
を備え、
前記第１の副画素電極は、第１の板状部分と、前記第１の板状部分から延出する複数の第１の枝電極と、を備え、
前記第２の副画素電極は、前記第１の枝電極の周りを取り囲むように形成されている第２の板状部分と、前記第２の板状部分から延出する複数の第２の枝電極と、を備え、
前記第１の副画素電極に印加される第１の電圧と前記共通電極に印加される共通電圧との差分は、前記第２の副画素電極に印加される第２の電圧と前記共通電圧との差分よりも大きい液晶表示装置。
【請求項２】
前記第１の副画素電極の前記第１の板状部分は、ひし形の平面状を有し、
前記第２の副画素電極の前記第２の板状部分は、複数の四角形が合わせられた平面状を有する請求項１に記載の液晶表示装置。
【請求項３】
前記第１の副画素電極の前記複数の第１の枝電極は、異なる方向に延びている第１の微細枝部と、第２の微細枝部と、第３の微細枝部と、第４の微細枝部とを備え、
前記第２の副画素電極の前記複数の第２の枝電極は、異なる方向に延びている第５の微細枝部と、第６の微細枝部と、第７の微細枝部と、第８の微細枝部とを備える請求項２に記載の液晶表示装置。
【請求項４】
前記複数の第１の枝電極及び前記複数の第２の枝電極のうちのいずれか一方が延びている方向と平行な方向を基準として測定した前記第１の副画素電極と前記第２の副画素電極との間の間隔が４μｍ以下である場合、前記第１の副画素電極に印加される電圧に対する第２の副画素電極に印加される電圧の割合は、０．８３以下である請求項１に記載の液晶表示装置。
【請求項５】
前記複数の第１の枝電極及び前記複数の第２の枝電極のうちのいずれか一方が延びている方向と平行な方向を基準として測定した前記第１の副画素電極と前記第２の副画素電極との間の間隔が４μｍよりも大きく且つ４．５μｍ以下である場合、前記第１の副画素電極に印加される電圧に対する第２の副画素電極に印加される電圧の割合は、０．７５以下である請求項１に記載の液晶表示装置。
【請求項６】
前記複数の第１の枝電極及び前記複数の第２の枝電極のうちのいずれか一方が延びている方向と平行な方向を基準として測定した前記第１の副画素電極と前記第２の副画素電極との間の間隔が５μｍ以上である場合、前記第１の副画素電極に印加される電圧に対する第２の副画素電極に印加される電圧の割合は、０．７以下である請求項１に記載の液晶表示装置。
【請求項７】
前記複数の第１の枝電極及び前記複数の第２の枝電極のうちのいずれか一方が延びている方向と平行な方向を基準として測定した前記第１の画素電極の前記第１の板状部分の全体幅の１／２は、２５μｍ以下である請求項１に記載の液晶表示装置。
【請求項８】
前記複数の第１の枝電極及び前記複数の第２の枝電極のうちのいずれか一方が延びている方向と平行な方向を基準として測定した前記第２の画素電極の前記第２の板状部分の幅は、２５μｍ以下である請求項７に記載の液晶表示装置。
【請求項９】
前記複数の第１の枝電極及び前記複数の第２の枝電極の長さは、２５μｍ以下である請求項７に記載の液晶表示装置。
【請求項１０】
前記第１の副画素電極の前記第１の板状部分の周縁は、前記ゲート線と４５°又は１３５°の角度をなすか、あるいは、４５°よりも大きいかあるいは１３５°よりも小さい角度をなす請求項１に記載の液晶表示装置。
【請求項１１】
前記第２の副画素電極の前記第２の板状部分の周縁は、前記ゲート線と４５°又は１３５°の角度をなすか、あるいは、４５°よりも大きいかあるいは１３５°よりも小さい角度をなす請求項１０に記載の液晶表示装置。
【請求項１２】
前記第１の副画素電極と前記第２の副画素電極との間の境界部は、前記ゲート線と４５°又は１３５°の角度をなすか、あるいは、４５°よりも大きいかあるいは１３５°よりも小さい角度をなす請求項１１に記載の液晶表示装置。
【請求項１３】
前記第２の副画素電極の前記第２の板状部分の周縁は、前記ゲート線と４５°又は１３５°の角度をなすか、あるいは、４５°よりも大きいかあるいは１３５°よりも小さい角度をなす請求項１に記載の液晶表示装置。
【請求項１４】
前記第１の副画素電極と前記第２の副画素電極との間の境界部は、前記ゲート線と４５°又は１３５°の角度をなすか、あるいは、４５°よりも大きいかあるいは１３５°よりも小さい角度をなす請求項１又は１３に記載の液晶表示装置。
【請求項１５】
前記第１の副画素電極の前記第１の枝電極は、前記ゲート線と４５°又は１３５°の角度をなすか、あるいは、４５°よりも小さいかあるいは１３５°よりも小さい角度をなす請求項１、１２、及び１４のいずれか一項に記載の液晶表示装置。
【請求項１６】
前記第２の板状部分の幅は、前記第１の板状部分の幅よりも狭い請求項１に記載の液晶表示装置。
【請求項１７】
前記第２の板状部分と隣り合う前記第１の枝電極の先端の幅は、前記第１の枝電極の他の部分の幅よりも広い請求項１に記載の液晶表示装置。
【請求項１８】
前記第２の板状部分と前記第２の枝電極との間の境界部における前記第２の枝電極の幅は、前記第２の枝電極の他の部分の幅よりも狭い請求項１７に記載の液晶表示装置。
【請求項１９】
前記第１の副画素電極は、前記第１の枝電極を備えず、前記第１の板状部分のみよりなる請求項１に記載の液晶表示装置。
【請求項２０】
前記画素電極の下に配設される絶縁膜をさらに備え、
前記絶縁膜は、前記第１の副画素電極の下に配設される第１の部分と、前記第２の副画素電極の下に配設される第２の部分と、を備え、
前記第１の部分の高さは、前記第２の部分の高さよりも高い請求項１に記載の液晶表示装置。
【請求項２１】
前記第１の部分と前記第２の部分との間の境界は、前記第２の画素電極の前記第２の板状部分と重なり合うか、あるいは、前記第１の画素電極の前記第１の枝電極と重なり合う請求項２０に記載の液晶表示装置。
【請求項２２】
前記第１の部分と前記第２の部分との間の境界は、前記第２の画素電極の前記第２の板状部分と重なり合い、
前記第２の部分は、前記基板となす勾配が異なる複数の領域を備える請求項２０に記載の液晶表示装置。
【手続補正２】
【補正対象書類名】明細書
【補正対象項目名】０１７７
【補正方法】変更
【補正の内容】
【０１７７】
本発明の実施形態による液晶表示装置の基本電極１９９の第１の副画素電極１９１ａの第１の板状部分１９３ａの外周縁は、ゲート線１２１が延びている第１の方向Ｄ１と約４５°よりも大きいか、あるいは、約１３５°よりも小さい角度をなし、基本電極１９９の第２の副画素電極１９１ｂの第２の板状部分１９３ｂの周縁は、ゲート線１２１が延びている第１の方向Ｄ１と約４５°よりも大きいか、あるいは、約１３５°よりも小さい角度をなす。より具体的に、第１の副画素電極１９１ａの第１の板状部分１９３ａの周縁とゲート線１２１が延びている第１の方向Ｄ１がなす第４の角度θ４ａと、第２の副画素電極１９１ｂの第２の板状部分１９３ｂの外周縁とゲート線１２１が延びている第１の方向Ｄ１がなす第５の角度θ４ｂ及び第１の副画素電極１９１ａの第１の枝電極１９２ａと隣り合う第２の副画素電極１９１ｂの第２の板状部分１９３ｂの周縁とゲート線１２１が延びている第１の方向Ｄ１がなす第６の角度θ４ｃは、約４５°よりも大きいか、あるいは、約１３５°よりも小さい。
【手続補正３】
【補正対象書類名】明細書
【補正対象項目名】０１９４
【補正方法】変更
【補正の内容】
【０１９４】
本発明の実施形態による液晶表示装置の基本電極１９９の第１の副画素電極１９１ａの第１の板状部分１９３ａの外周縁は、ゲート線１２１が延びている第１の方向Ｄ１と約４５°よりも大きいか、あるいは、約１３５°よりも小さい角度をなし、基本電極１９９の第２の副画素電極１９１ｂの第２の板状部分１９３ｂの周縁のうち第１の副画素電極１９１ａと隣り合う周縁は、ゲート線１２１が延びている第１の方向Ｄ１と約４５°よりも大きいか、あるいは、約１３５°よりも小さい角度をなす。より具体的に、第１の副画素電極１９１ａの第１の板状部分１９３ａの周縁とゲート線１２１が延びている第１の方向Ｄ１がなす第７の角度θ５ａと、第２の副画素電極１９１ｂの第２の板状部分１９３ｂの周縁のうち第１の副画素電極１９１ａの第１の枝電極１９２ａと隣り合う周縁とゲート線１２１が延びている第１の方向Ｄ１がなす第８の角度θ５ｂは、約４５°よりも大きいか、あるいは、約１３５°よりも小さい。